(57)【要約】      （修正有）【課題】従来、甚だ厄介であり多大の労力を要していた車いすの車輪の汚れ落としを、比較的簡単な機械で自動的に実施でき、且つ操作性・信頼性・汎用性に優れ、洗浄効果の高い車いすの車輪洗浄機を提供すること。【解決手段】車いすの車輪20に対応する位置に動力にて回転するブラシ回転用の軸を軸保持具によって設け、タイヤ円周部を抱かえるように配置された３個の異なる形状のブラシ7,9,10を組み合わせたブラシ部を軸に摺動可能な状態で嵌入し、車いす車輪のタイヤがブラシの回転による摩擦で回転しながら擦り洗浄されるようにし、且つ各種の車いすや各種タイヤに対応できるようブラシ部位置の調節装置を具備する構成とした。【選択図】図３
2008080849.tif 000002
【特許請求の範囲】
【請求項１】
車いす車輪のタイヤ部がブラシに当たる位置にブラシ回転用の軸を軸保持具により設置して動力によって回転するようにし、各軸に車いすの車輪位置に対応する洗浄用ブラシ部を軸の回転に伴って回転するように嵌入させ、各洗浄用ブラシ部はそれぞれ３個の異なる形状の回転式ブラシで構成し、うち１個の第１ブラシは回転用の軸に対して放射状の毛先群を構成する植毛ブラシとし、車輪のタイヤ先端の接地面がブラシの毛先に十分に接触できる関係位置においてブラシ回転用の軸に軸方向に摺動自在な状態で嵌入し、他の２個の第２、第３ブラシは円盤にブラシ回転用の軸と平行方向に第１ブラシの円柱状植毛部を除きドーナツ形に植毛されたブラシとして、第１ブラシを挟み且つタイヤの側面を左右の両側から抱かえるような位置関係にてブラシの毛先がタイヤ側面に当るよう前記第１ブラシのボス部ないしブラシ回転用の軸に軸方向に摺動自在な状態で嵌入し、運転中は左右の第２、第３ブラシが常時スプリングにてタイヤ側面を両側から押す状態になるようにし、各ブラシ部の回転によって車いすのタイヤが同時に回転しながら擦り洗浄されることを特徴とする車いすの車輪洗浄機。
【請求項２】
車いすを載置し且つ前記ブラシ回転用の軸を保持する機能を有する架台を設け、この架台には車いすの前輪タイヤ洗浄及び後輪タイヤ洗浄に用いる前記ブラシ回転用の軸に嵌入する前記ブラシ部を車いすの車輪位置に対応する位置に取り付け、各ブラシ部は一部が洗浄液槽に浸ることによって洗浄液を含んだ状態で回転し、車いすの全車輪が同時に回転しながら擦り洗浄され、ブラシ回転用の軸と洗浄用ブラシ部は車いすの寸法に合わせてそれぞれ位置調整ができるようにしたことを特徴とする請求項１に示す車いすの車輪洗浄機。
【請求項３】
３個の回転式ブラシで構成されたブラシ部のうち１個の、ブラシの軸に対して放射状の毛先を構成する第１ブラシは、毛先先端の円周部が軸幅方向において、車いす車輪のタイヤ先端部の丸みよりも緩やかな曲線となるような凹部を形成したことを特徴とする請求項１及び請求項２に示す車いすの車輪洗浄機。
【請求項４】
車いすを載置する架台には洗浄時車いすが安定するための移動防止具を前輪の載置部付近に設けると共に、ブラシ回転用の各軸のうち前輪タイヤ洗浄用の軸は位置決め後、前後に移動できないように架台に固定し、後輪タイヤ洗浄用の軸は架台上にて前後に摺動させて位置を調整の上固定するための調節装置を設けたことを特徴とする請求項１〜請求項３の何れかの請求項に示す車いすの車輪洗浄機。
【請求項５】
車いすを載置する架台には、車いすを架台に押しつけ位置の安定を図るためのバンド帯等の位置安定具を取り付け可能にしたことを特徴とする請求項１〜請求項４の何れかの請求項に示す車いすの車輪洗浄機。
【請求項６】
車いすを載置する架台には、車いすを載置する際適正な載置位置を得るためのブラシ部に連結するガイドをガイドレールに摺動自在な状態で挿入し、車いすの車輪とブラシ部との関係位置を決めた後、少なくとも１個のガイドを前記のガイドレールに摺動できないように固定する固定具を有することを特徴とする請求項１〜請求項５の何れかの請求項に示す車いすの車輪洗浄機。
【請求項７】
車いすを載置する架台には、回転式ブラシからの飛び散り液の装置外への放散や洗浄液槽内の洗浄液交換時の溢れ出を防止するため、架台の底面に水受け皿を配置したことを特徴とする請求項１〜請求項６の何れかの請求項に示す車いすの車輪洗浄機。
【請求項８】
車いすを載置する架台には、架台の枠金具に直立する支柱を接続し、支柱の上部に運転停止等を行える操作スイッチを設けたことを特徴とする請求項１〜請求項７の何れかの請求項に示す車いすの車輪洗浄機。
【請求項９】
車いす車輪のタイヤ洗浄用ブラシ部は、車いすを載置する際はブラシ部の左右２個のブラシを押しつけるスプリングの押し圧力を外すためのレバーないし、強制的に左右２個のブラシ間に隙間を設けるための拡間具を設け、運転開始に伴って上記の動作を解除し、スプリングが作用するようなクラッチ機構をブラシ部に連結したことを特徴とする請求項１〜請求項８の何れかの請求項に示す車いすの車輪洗浄機。
【請求項１０】
ブラシの毛先の変形防止のため、ブラシ部の軸への挿入方向の切り替えないし軸の逆回転が可能な構成としたことを特徴とする請求項１〜請求項９の何れかの請求項に示す車いすの車輪洗浄機。
【発明の詳細な説明】
【技術分野】
【０００１】
本発明は車いすの車輪タイヤ部に付着した汚れを除去する目的の技術に関し、特に車いすの各車輪をタイヤの側面洗浄まで含めて同時に洗浄し、且つ各種の車いすへの汎用性を確保する手段に係るものである。
【背景技術】
【０００２】
老齢化社会の進行により、車いすの利用状況は益々拡大する傾向にあるが、現状車いすの衛生状態は甚だ不満足であり、病人、身障者、高齢者等への感染防止
のためにも車いすを清潔な状態に保つことが焦眉の急となっている。
そのため、近年車いすを丸ごと自動的に洗浄する装置が開発され、普及の途上にあるが、それらの装置は最も頑固な汚れが付着する車輪のタイヤ部という特定部位の洗浄性能については殆ど効果のないものであった。
【０００３】
車いすの車輪は、道路のアスファルトや床面のワックス等の取れにくい汚れの他、土壌、食品その他各種の汚れが加圧状態で付着する他タイヤの表層にはそれらの汚染物質による目詰まりや浸食も見られる等甚だ不衛生の状態になっているが、車いすの操作において屡々車輪のタイヤ部に使用者の手がかかる場合もあり絶えず清潔に保つ必要がある。また、近年とみに利用度が高まっているレンタル車いすにおいては、返却された車いすを他の利用者に貸し出す際は、条例等で義務付けられている車いす全体の清浄度の水準を上回るタイヤ部の綺麗さを要求される最近のニーズ傾向からレンタル業者の清掃作業上大きな負担となっていた。
【０００４】
車いすの車輪タイヤ部に付着した頑固な汚れを除去する手段としては、手作業にてたわしやブラシに洗剤をつけて丹念に擦り洗いするのが一般的であるが、多大の工数を必要とするため、対策として動力を使用しての車輪専用洗浄機も各種開発され一部実用化されている。しかしながらこれら従来方式の車輪専用洗浄機は簡単なブラシを用い、あるいはブラシと洗剤液ないしスチームを用いたりしてタイヤ表面の泥等の付着を軽く除去することを目的としたもので、前述の頑固な汚れに対しては殆ど効果が得られず、特に走行時タイヤが圧縮されて付着するタイヤ側面の汚れに対しては洗浄作用が行われないか、行われても極めて不十分な装置であった。
【０００５】
タイヤ側面の汚れ除去の効果的な手段として、無端ベルト上で車輪を回転させて車輪の接地面及び側面を架台に植え込んだブラシを当てて洗浄するものや、回転ブラシをＵ型溝付きの形状とし、タイヤをＵ型部にはめ込んだ状態でタイヤとブラシを回転させて洗浄する提案も試みられているが、各種の形態が存在する車いす車輪の径や両輪の位置及びタイヤの幅等への対応に難がある他ブラシの摩耗による溝の変形等の問題があり、不十分な性能と言わざるを得ないものであった。
【０００６】
それら各種の機械的車輪洗浄についての先行技術の例は下記のとおりであるが、最近極めて要求度の高くなった車いす車輪のタイヤ洗浄の性能に対しては、前述の公知の構造を含めて何れも不十分であり、目的にそぐわない技術であった。
【特許文献１】特開平８−３０８８７９号公報
【特許文献２】特開平１０−３３７５４２号公報
【特許文献３】特開２００３−６３３６３号公報
【特許文献４】特開２００３−２７６５７８号公報
【特許文献５】特開２００４−１３６８６７号公報
【発明の開示】
【発明が解決しようとする課題】
【０００７】
この発明は、従来の技術及びそれを前提とした車いすの車輪洗浄手段による問題点を解決するため、比較的簡単な機器構成のもとで、車輪のタイヤをタイヤ側面を含めて新品に近い状態まで比較的短時間で洗浄・磨きのできる汎用性の高い洗浄機を提供することを課題とするものである。
【課題を解決するための手段】
【０００８】
上記の課題を解決するために請求項１の発明は、車いす車輪のタイヤ部がブラシに当たる位置にブラシ回転用の軸を軸保持具により設置して動力によって回転するようにし、各軸に車いすの車輪位置に対応する洗浄用ブラシ部を軸の回転に伴って回転するように嵌入させ、各洗浄用ブラシ部はそれぞれ３個の異なる形状の回転式ブラシで構成し、うち１個の第１ブラシは回転用の軸に対して放射状の毛先群を構成する植毛ブラシとし、車輪のタイヤ先端の接地面がブラシの毛先に十分に接触できる関係位置においてブラシ回転用の軸に軸方向に摺動自在な状態で嵌入し、他の２個の第２、第３ブラシは円盤にブラシ回転用の軸と平行方向に第１ブラシの円柱状植毛部を除きドーナツ形に植毛されたブラシとして、第１ブラシを挟み且つタイヤの側面を左右の両側から抱かえるような位置関係にてブラシの毛先がタイヤ側面に当るよう前記第１ブラシのボス部ないしブラシ回転用の軸に軸方向に摺動自在な状態で嵌入し、運転中は左右の第２、第３ブラシが常時スプリングにてタイヤ側面を両側から押す状態になるようにし、各ブラシ部の回転によって車いすのタイヤが同時に回転しながら擦り洗浄されることを特徴とする車いすの車輪洗浄機についてのものである。
【０００９】
請求項２の発明は、車いすを載置し且つ前記ブラシ回転用の軸を保持する機能を有する架台を設け、この架台には車いすの前輪タイヤ洗浄及び後輪タイヤ洗浄に用いる前記ブラシ回転用の軸に嵌入する前記ブラシ部を車いすの車輪位置に対応する位置に取り付け、各ブラシ部は一部が洗浄液槽に浸ることによって洗浄液を含んだ状態で回転し、車いすの全車輪が同時に回転しながら擦り洗浄され、ブラシ回転用の軸と洗浄用ブラシ部は車いすの寸法に合わせてそれぞれ位置調整ができるようにしたことを特徴とする請求項１に示す車いすの車輪洗浄機についてのものである。
【００１０】
請求項３の発明は、３個の回転式ブラシで構成されたブラシ部のうち１個の、ブラシの軸に対して放射状の毛先を構成する第１ブラシは、毛先先端の円周部が軸幅方向において、車いす車輪のタイヤ先端部の丸みよりも緩やかな曲線となるような凹部を形成したことを特徴とする請求項１及び請求項２に示す車いすの車輪洗浄機についてのものである。
【００１１】
請求項４の発明は、車いすを載置する架台には洗浄時車いすが安定するための移動防止具を前輪の載置部付近に設けると共に、ブラシ回転用の各軸のうち前輪タイヤ洗浄用の軸は位置決め後、前後に移動できないように架台に固定し、後輪タイヤ洗浄用の軸は架台上にて前後に摺動させて位置を調整の上固定するための調節装置を設けたことを特徴とする請求項１〜請求項３の何れかの請求項に示す車いすの車輪洗浄機についてのものである。
【００１２】
請求項５の発明は、車いすを載置する架台には、車いすを架台に押しつけ位置の安定を図るためのバンド帯等の位置安定具を取り付け可能にしたことを特徴とする請求項１〜請求項４の何れかの請求項に示す車いすの車輪洗浄機についてのものである。
【００１３】
請求項６の発明は、車いすを載置する架台には、車いすを載置する際適正な載置位置を得るためのブラシ部に連結するガイドをガイドレールに摺動自在な状態で挿入し、車いすの車輪とブラシ部との関係位置を決めた後、少なくとも１個のガイドを前記のガイドレールに摺動できないように固定する固定具を有することを特徴とする請求項１〜請求項５の何れかの請求項に示す車いすの車輪洗浄機についてのものである。
【００１４】
請求項７の発明は、車いすを載置する架台には、回転式ブラシからの飛び散り液の装置外への放散や洗浄液槽内の洗浄液交換時の溢れ出を防止するため、架台の底面に水受け皿を配置したことを特徴とする請求項１〜請求項６の何れかの請求項に示す車いすの車輪洗浄機についてのものである。
【００１５】
請求項８の発明は、車いすを載置する架台には、架台の枠金具に直立する支柱を接続し、支柱の上部に運転停止等を行える操作スイッチを設けたことを特徴とする請求項１〜請求項７の何れかの請求項に示す車いすの車輪洗浄機についてのものである。
【００１６】
請求項９の発明は、車いす車輪のタイヤ洗浄用ブラシ部は、車いすを載置する際はブラシ部の左右２個のブラシを押しつけるスプリングの押し圧力を外すためのレバーないし、強制的に左右２個のブラシ間に隙間を設けるための拡間具を設け、運転開始に伴って上記の動作を解除し、スプリングが作用するようなクラッチ機構をブラシ部に連結したことを特徴とする請求項１〜請求項８の何れかの請求項に示す車いすの車輪洗浄機についてのものである。
【００１７】
請求項１０の発明は、ブラシの毛先の変形防止のため、ブラシ部の軸への挿入方向の切り替えないし軸の逆回転が可能な構成としたことを特徴とする請求項１〜請求項９の何れかの請求項に示す車いすの車輪洗浄機についてのものである。
【発明の効果】
【００１８】
本発明は、以上説明したような手段で実施され、以下に示すような効果を奏する。つまり、本発明の車輪洗浄機では３個のブラシを組み合わせてできたブラシ部を用いることによって、一定の圧力でタイヤの接地部がブラシに接しながら両側から抱かえられる状態のもとでブラシ部が回転することによって、摩擦力により車いすの車輪がブラシの周速度よりやや遅い速度でブラシの先端を辷りながら同時にゆっくりと回転し、タイヤの接地面及び側面が短時間で同時に擦り洗浄される構成であるから、車輪の回転装置が不要となり比較的簡単な構造で強力な洗浄効果が得られる。
【００１９】
車いす載置用の架台を用いた構成における発明では、容易に車いすを架台に載置し得ると共にブラシ部回転用の軸を架台に保持できる構成とし、安定した状態にて洗浄できるように各車輪を簡単な動作で位置決めできる他、車輪タイヤの幅や形状の変化及び車輪の歪みに伴う洗浄部位の左右への振れに対してブラシ部が自然に回転用の軸を摺動しタイヤに密着するように構成されている。ブラシ部を形成する３個の異なる形のブラシのうち第１のブラシはタイヤが架台に載置した車いすの自重で抑えられ、第２，３のブラシはタイヤの側面をスプリングで常時押しつける構成であるため種々のタイヤ形態への対応性が得られ、且つブラシの摩耗に対しても洗浄性能が損なわれないよう設計されているので、汎用性が高く長期に亘る洗浄効果が発揮できる。
【００２０】
なお、ブラシの材質・硬度・植毛の密度及び毛先の形状や長さは、車輪のタイヤの汚れ等によって適宜選択できるので、用途によって最も効果的な洗浄性能を求めることが可能である。
【００２１】
また、架台に洗浄液槽を設けた際はブラシ部の一部が洗浄液に浸る構成でもあるからより高い洗浄効果が得られる。この際、運転中洗浄液の機外への飛び散り防止と、洗浄タンクの清掃ないし洗浄液の交換時の溢れ防止に便利なように架台の底面に水受け皿を配置すことが可能な設計であるから、種々の設置場所に対しての設置性が良好である。
【発明を実施するための最良の形態】
【００２２】
本発明の実施の形態並びに作用について、図を用いて説明する。
【００２３】
本発明の車いすの車輪洗浄機は、図1、図２、図３、図４及び図５に示すよう  に、軸保持具１または車いすを載置し軸保持機能を有する架台１Ａを使用する実施形態のうち架台１Ａを用いた実施形態では、ブラシ回転用の軸２、２’、２Ａ、２Ａ’を設け、この軸はモータ３、３’による動力を伝導装置４、４’によって回転するように構成する。
軸２、２’にはそれぞれ２個の洗浄用前輪用ブラシ部５、５’及び後輪用６、６’を軸の回転に伴って回転し、且つ軸に対して摺動できるように嵌入する。
【００２４】
前記ブラシ部５、５’及び６、６’はそれぞれ３個の異なる形状の回転式ブラシで構成されており、いずれも軸の回転に伴って回転するがそのうち1個の第１ブラシ７は図３に示すように軸２に対して放射状の毛先群が植毛されたものとし、ブラシ固定用のボス８はブラシの幅より長く設定され、軸の回転に伴って回転する構造のもとで、軸に対して摺動できるように嵌入する。
その際タイヤの接地部がブラシの毛先に十分接触できるように位置関係を設定する。なお、軸が丸材の場合は空転止めが必要であるが、角材の場合は空転止めの必要性は無く、ボス８の形状も軸に嵌合可能な通し穴を設けた形状となる。
【００２５】
ブラシ部を構成する３個のブラシのうち、第２ブラシ９、第３ブラシ１０は円盤１１、１１’に軸２と平行方向に、第１ブラシの直径に相当する中心部を除いた形態にてドーナツ状に植毛される。
第２ブラシ９、第３ブラシ１０は第１ブラシのボス部の外側に嵌入できる形状とし、第1ブラシ７を対向して挟むように第１ブラシのボス部に両側から摺動自在な状態で嵌入する。なお、各ブラシの植毛はポリアミド樹脂等の耐摩耗性樹脂線や金属線を一般の刷毛と類似の構造でベース材に埋め込んだものとするが、汚れ除去の効果を高めるためには比較的剛性の大きい素材を用いる。
【００２６】
第２、第３のブラシは、ブラシ部にタイヤが載置されて第１ブラシにタイヤ先端の接地部が接触した際、タイヤの側面に加圧接触して洗浄作用がなされるようスプリング１２、１２’にて絶えず内方に押しつけられている。
なお、各ブラシ部はブラシ回転用の軸に嵌入された状態で左右に自由に移動できるので車輪回転時の歪みによる振れにも追随できる。また、軸２’は車いすの寸法に合わせて前後に移動できるよう架台１Ａに摺動可能な状態で取り付けられたベース１３にモータ３’、伝導装置４’と共に設置されている。
【００２７】
洗浄用ブラシ部は少なくともブラシの毛先が洗浄液中に没入するような前輪用洗浄液槽１４、１４’及び後輪用洗浄液槽１５、１５’を架台１Ａの一部に載置して洗浄液を含ませ、車輪のタイヤを洗浄すると共にブラシに付着した汚れを除去する構成とする。また、洗浄液槽はタイヤや洗浄液そのものの汚れの程度により、交換ないし洗剤濃度の変更が容易にできるよう上方を一部大気に開放した構成としている。
【００２８】
車いすを架台１Ａに載置した際、車いすが安定するため、先ず前方への移動防止具１６を架台１Ａに設け、前後に調節固定できる構成とし、次に後輪タイヤ洗浄用ブラシの位置を設定具１７によって調節固定する。なお、ブラシ部の回転に伴い、タイヤ洗浄時に後輪の回転が車いすをバックさせるようにブラシの周速度に対して辷りながら回る回転方向の場合は、後輪の回転軸１８は後輪タイヤ洗浄用ブラシ部の軸２’よりも前方になるような位置でブラシ軸を固定することにより車いすがより安定する。
【００２９】
本発明の実施例について、各請求項毎に説明すると以下のとおりである。      
【００３０】
先ず、請求項１の発明の１実施例は、図１及び図２に示す軸保持具１に、本発明の最も重要な洗浄要素としての図３、図４及び図５に示すブラシ部を回転軸２、２’、２Ａ及び２Ａ’に摺動自在に嵌入した状態で取り付けた形態とし、ブラシ部は３個のそれぞれ異なる形状の回転式ブラシで構成されており、車いすの自重やスプリングの押し圧力を利用して図３に示す前輪のタイヤ部１９及び後輪タイヤ部２０は先端の接地部位が主に第１ブラシで洗浄され、タイヤ側面は主に第２、第３ブラシにて洗浄されると共に、洗浄工程中は洗剤を含んだ各ブラシが絶えずタイヤ表面に接触し摩擦によって車輪を回転させながら擦り洗いができるようにし、各種の車いすやタイヤの寸法に合わせて軸とブラシ部がそれぞれ位置の調整ができるようにしたことを特徴としている。
【００３１】
請求項２の発明は、請求項１の発明において、車いすを載置し且つブラシ部回転用の軸２を保持する機能を有する架台１Ａを設け、この架台には車いすの前輪タイヤ洗浄及び後輪タイヤ洗浄に用いる前記ブラシ回転用の各軸に嵌入する前記ブラシ部を車いすの車輪位置に対応する位置に取り付け、各ブラシ部は一部が洗浄液槽に浸ることによって洗浄液を含んだ状態で回転し、車いすの全車輪が同時に回転しながら擦り洗浄され、ブラシ回転用の軸と洗浄用ブラシ部は車いすの寸法に合わせてそれぞれ位置調整ができるようにしものである。
【００３２】
請求項３の発明は、請求項１及び請求項２の発明において、ブラシ部における第１のブラシの毛先円周はタイヤ先端の接地部の丸みより緩やかな曲線となるよう凹部をもった形として、タイヤ先端の凸円部にくまなくブラシが当たるようにしたものである。
【００３３】
請求項４の発明は、請求項１〜請求項３の何れかの発明において、架台１Ａには洗浄時車いすが安定するための移動防止具１６を前輪の載置部付近に設けると共に、ブラシ回転用の各軸のうち前輪タイヤ洗浄用の軸は位置決め後、前後に移動できないように架台に固定し、後輪タイヤ洗浄用の軸は架台上にて前後に摺動させて位置を調整の上固定するための設定具１７を設けて車輪のタイヤとブラシ部の関係位置の設定が容易にできるようにしたものである。
【００３４】
請求項５の発明は、請求項１〜請求項４の何れかの発明において、架台１Ａに車いす２６を架台に設けたブラシ部に押しつけて位置の安定化を図るためのバンド帯等の位置安定具２７を取り付けられるようにし、比較的軽量の車いすにおいても、ブラシによる洗浄効果が失われないようにしたものである。
【００３５】
請求項６の発明は、請求項１〜請求項５の何れかの発明において、ブラシ部に連結する前輪用ガイド２１、２１Ａ及び後輪用ガイド２２、２２Ａを架台１Ａに設けられたガイドレール２３、２４に対して図示のようにそれぞれ摺動自在に挿入することによって、車いすを架台に載置する際の載置位置を明確にし、且つブラシ部に車輪のタイヤが正確に挿入される効果がある。また、前記のガイドのうち少なくとも１個は、車いすを載置し位置を決めた後ガイドレールに固定し、洗浄時に車いすが左右に揺動することを防止する構成としたものである。
【００３６】
請求項７の発明は、請求項１〜請求項６の何れかの発明において、ブラシ部の回転によるタイヤ洗浄動作に関係して発生する洗浄液の飛び散りや洗浄液交換時等による床面への滴下を受ける水受け皿（図示せず）を、架台１Ａの底面に着脱できるように配設したことを特徴とする構成である。
【００３７】
請求項８の発明は、請求項１〜請求項７の何れかの発明において、架台１Ａの枠金具一部に金属パイプ等の材質からなる支柱２４を接続し、この支柱の内部に電気配線を通し、これに接続する洗浄機の運転停止等の動作を行うための操作スイッチ２５を支柱上部に設けたものである。
【００３８】
請求項９の発明は、請求項１〜請求項８の何れかの発明において、タイヤ洗浄用のブラシ部は、車いすを載置する際はブラシ部の左右２個の第２、第３ブラシを内側に押しつけるスプリング１２、１２’の押し圧力を外すレバー（図示せず）ないし、強制的に第２、第３ブラシの間を拡げる拡間具（図示せず）を設けてタイヤの挿入しやすい隙間を設け、運転開始に伴い上記の隙間を解除しスプリングが作用するようなクラッチ機構をブラシ部に連結して設置し、ブラシ部へのタイヤの装着を容易にする構成についてのものである。
【００３９】
請求項１０の発明は、請求項１〜請求項９の何れかの発明において、ブラシ部はブラシの毛先の変形防止のため、ブラシ部の軸への挿入方向の嵌め替えないし軸の逆回転が可能な構成として耐久性と性能の維持を目的としたものである。
【００４０】
なお、図１において、２８、２８’は前輪タイヤ洗浄用ブラシ部の位置を架台に対して調節する場合の前輪用ブラシ部位置調整固定具である。また２９は後輪タイヤ洗浄用ブラシ部の位置を架台に対して調節する場合の設定具１７を手動で作動するための設定具用ハンドルである。
【００４１】
なお、本発明は上記の実施例に限定されず、軸保持具は車いすを載置できる架台１Ａの構成の中に設けて実施する形態の他、架台を設けず軸保持具を車いす全体を洗浄する洗浄用キャビネットの中に設けて、本発明のブラシ部及びブラシ部の回転軸を洗浄用キャビネット内に設置する実施例も存在し、車輪のタイヤ洗浄のための本発明の概念の中で幾多の実施例が存在するものである。
【図面の簡単な説明】
【００４２】
【図１】本発明の実施形態の一実施例についての平面図である。
【図２】同上についての正面図である。（車いすを乗せて運転中の状態）
【図３】ブラシ部の一実施例の詳細を示す一部断面正面図である。
【図４】ブラシ部の他の実施例の一部断面正面図である
【図５】同上についての側面図である。
【符号の説明】
【００４３】
１                      軸保持具
１Ａ                    架台
２、２Ａ、２’、２Ａ’  軸
３、３’                モータ
４、４’                伝導装置
５、５’                前輪用ブラシ部
６、６’                後輪用ブラシ部
７                      第１ブラシ
８                      ボス
９                      第２ブラシ
１０                    第３ブラシ
１１、１１’            円盤
１２、１２’            スプリング
１３                    ベース
１４、１４’            前輪用洗浄液槽
１５、１５’            後輪用洗浄液槽
１６                    移動防止具
１７                    設定具
１８                    後輪の回転軸
１９                    前輪のタイヤ部
２０                    後輪のタイヤ部
２１、２１Ａ            前輪用ガイド
２２、２２Ａ            後輪用ガイド
２３                    ガイドレール
２４                    ガイドレール
２５                    操作スイッチ
２６                    車いす
２７                    位置安定具
２８、２８’            前輪用ブラシ部位置調整固定具
２９                    設定具用ハンドル
【図１】
2008080849.tif 000003
【図２】
2008080849.tif 000004
【図３】
2008080849.tif 000005
【図４】
2008080849.tif 000006
【図５】
2008080849.tif 000007